(57)【要約】      （修正有）【課題】ＨＤＭＩは映像・音声等を転送するマルチメディアインタフェースの一つであり、ＨＤＭＩ送信回路の音声入力のフォーマットの一つとしてＡＥＳ／ＥＢＵ信号が使用される。このＡＥＳ／ＥＢＵ信号において、立ち上がり時間と立ち下がり時間のアンバランスによるデューティ変動に強く、サンプリング周波数が違う信号が受信できるディジタル音声信号受信回路を実現する。【解決手段】高速クロックにより入力データをサンプリングし、立ち上がりエッジ間隔値と立ち下がりエッジ間隔値および２Ｔ間隔値により復号する。【選択図】図１
2011166715.tif 000002
【特許請求の範囲】
【請求項１】
入力信号に対して高速クロックを有し、入力信号を高速クロックでカウントする２Ｔ間隔検出回路と、入力信号を高速クロックでカウントするエッジ検出回路とエッジ間隔回路を有し、２Ｔ間隔検出値と立ち上がり間隔値および立ち下がり間隔値によりプリンアンブル検出するプリアンブル検出回路を有し、立ち上がり間隔値および立ち下がり間隔値によりデータとクロックを復号することを特徴とするディジタル音声受信回路。
【請求項２】
前記２Ｔ間隔検出回路は、立ち上がり間隔値および立ち下がり間隔値を一定期間随時比較し最小値を２Ｔとする検出回路。
【請求項３】
前記立ち上がり間隔値および立ち下がり間隔値は、２Ｔ間隔検出回路による２Ｔ間隔値によりＴの倍数として演算することを特徴とする復号回路。
【請求項４】
最小変転間隔１Ｔの倍数に変換された立ち上がり間隔値と立ち下がり間隔値と固有パターンを比較することを特徴とする復号回路。
【請求項５】
前記立ち上がり間隔値および立ち下がり間隔値を用いて転送データおよびクロックを復号することを特徴とする復号回路。
【発明の詳細な説明】
【技術分野】
【０００１】  本発明は、ＡＥＳ／ＥＢＵ信号をデコードして転送データとクロックを抽出するディジタル音声信号受信回路に関するものでる。
【背景技術】
【０００２】  ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）は映像・音声等を転送するマルチメディアインタフェースの一つであり、ＨＤＭＩ送信回路の音声入力のフォーマットの一つとしてＡＥＳ／ＥＢＵ信号が使用される。特許文献１に示すように高速クロックサンプリングによりＰＬＬを削除する構成が提案されている。ＡＥＳ／ＥＢＵ信号にはプリアンブルという固有パターンを有し、特許文献２にパターンマッチグ方法が提示されている。
【先行技術文献】
【０００３】
【特許文献１】特許公開２００７−２５１８７１
【特許文献２】特許公開平５−１０２９５９
【発明の概要】
【発明が解決しようとする課題】
【０００４】  特許文献１の高速クロックでサンプリングしたデータを特許文献２に示すパターンマッチングで復号する場合、入力信号の立ち上がり時間と立ち下がり時間にアンバランスが生じるとサンプリングした信号の幅が変動しパターンマッチングにおいて誤認識する可能性がある。
最小反転間隔Ｔは、転送される音声のサンプリング周波数（ＦＳ）に反比例し、１２８／ＦＳになる。したがって、最小反転間隔Ｔはサンプリング周波数（ＦＳ）によって変化する。
【課題を解決するための手段】
【０００５】  ＡＥＳ／ＥＢＵ信号の立ち上がりエッジ間隔および立ち下がりエッジ間隔を用いてデコードを行う。
高速クロックでサンプルした２Ｔ間隔を算出することにより、サンプリング周波数（ＦＳ）を検出する。
【発明の効果】
【０００６】  立ち上がりエッジ間隔もしくは立ち下がりエッジ間隔でデコードすることにより立ち上がり時間と立ち下がり時間のアンバランスによるデューティ変動に強くなる。
２Ｔ間隔を算出してサンプリング周波数を検出ことにより、いかなるサンプリング周波数のＡＥＳ／ＥＢＵ信号を受信できる。
【図面の簡単な説明】
【０００７】
【図１】本発明に係わるディジタル音声信号受信回路のブロック図である。
【図２】ＡＥＳ／ＥＢＵ信号のタイムチャートである。
【発明を実施するための形態】
【０００８】  以下、本発明に係わるディジタル音声信号受信回路の実施例について説明する。
【実施例】
【０００９】  図１は、本発明に係わるディジタル音声信号受信回路の実施例を示す回路図である。図１において、１０はエッジ検出回路、１１はエッジ間隔回路、１２はプリアンブル検出回路、１３はデータ復号回路、１４はクロック生成回路、１５は２Ｔ間隔検出回路である。【００１０】  図２に立ち上がり時間と立ち下がり時間がアンバランスなＡＥＳ／ＥＢＵ信号を示す。歪みのない波形ａにはプリアンブル・パターン３Ｔ・１Ｔ・１Ｔ・３Ｔが含まれる。
立ち上がり時間と立ち下がり時間のアンバランスな波形ｂをバッファすると波形ｃになる。立ち上がり時間と立ち下がり時間の差αが生じる。
歪みのない波形ａでは、プリアンブルの間隔は３Ｔ・１Ｔ・１Ｔ・３Ｔであり、波形ｄでは、３Ｔ−α・１Ｔ＋α・１Ｔ−α・３Ｔ＋αになる。立ち上がりエッジ間隔と立ち下がりエッジ間隔は波形ｅとｆに示すようにプリアンブル・パターンは４Ｔ・４Ｔと２Ｔの組み合わせになり、αの影響を受けない。【００１１】  図２のプリアンブル・パターンに示すようにＡＥＳ／ＥＢＵ信号には必ず２Ｔ間隔が含まれる。立ち上がり間隔および立ち下がり間隔を高速クロックで逐次カウントし、一定期間、前後のパターン幅を比較して最小値を求めると２Ｔ間隔になる。
２Ｔ間隔検出は、立ち上がりエッジ間隔と立ち下がりエッジ間隔を使用するので、立ち上がり時間と立ち下がり時間のアンバランスに影響されない。【００１２】  図１に示すエッジ検出回路とエッジ間隔回路により得られる立ち上がりエッジ間隔時間と立ち下がり間隔時間は、２Ｔ検出回路により得られる２Ｔ間隔時間によりパルス幅が最小反転間隔Ｔの何倍であるか判別できる。【００１３】  プリアンブル・パターンは３Ｔ・１Ｔ・１Ｔ・３Ｔの固有パターンで、立ち上がりエッジ間隔と立ち下がりエッジ間隔に置き換えれば４Ｔ・４Ｔと２Ｔの組み合わせになる。同様に、プリアンブル・パターン３Ｔ・３Ｔ・１Ｔ・１Ｔは６Ｔ・２Ｔと４Ｔの組み合わせで、プリアンブル・パターン３Ｔ・２Ｔ・１Ｔ・２Ｔは５Ｔ・３Ｔと３Ｔの組み合わせで表せる。【００１４】  プリンアンブル・パターンは立ち上がりエッジ間隔と立ち下がりエッジ間隔のパターンマッチングで一意に決定できる。立ち上がり間隔と立ち下がり間隔および２Ｔ間隔を用いてプリアンブル位置を復号できる。【００１５】  プリアンブル以外のＡＥＳ／ＥＢＵ信号のデータも立ち上がり間隔と立ち下がり間隔を用いて復号できる。復号において立ち上がり時間と立ち下がり時間のアンバランスの影響を受けない。【００１６】  立ち上がりエッジと立ち下がりエッジの出力遅延がアンバランスなバッファを通したＡＥＳ／ＥＢＵ信号に対しても有効である。
【符号の説明】
【００１７】１０  エッジ検出回路
１１  エッジ間隔回路
１２  プリアンブル検出回路
１３  データ復号回路
１４  クロック生成回路
１５  ２Ｔ検出回路
ａ    歪みのないＡＥＳ／ＥＢＵ信号
ｂ    立ち上がり時間と立ち下がり時間がアンバランスなＡＥＳ／ＥＢＵ信号
ｃ    バッファを介したＡＥＳ／ＥＢＵ信号
ｄ    プリアンブルの反転間隔
ｅ    プリアンブルの立ち上がりエッジ間隔
ｆ    プリアンブルの立ち下がりエッジ間隔
【図１】
2011166715.tif 000003
【図２】
2011166715.tif 000004